(57)【要約】      （修正有）【課題】靴の雨濡れを防止すると共に、手入れが簡単で、水洗いができ、小型軽量で持ち運びが容易であり、外観の美観性も変化させることができる靴カバーを提供する。【解決手段】靴のつま先部に覆設するための靴カバーであって、上覆い部３と縁部と耳部５とを備え、縁部が上覆い部の下縁部に沿って延伸され、耳部が上覆い部の両側に沿って延伸される本体２と、耳部に連結され、上覆い部を靴のつま先部に固定するための弾性部材６と、を含む。【選択図】図１Ａ
0003217956.tif 000002
【実用新案登録請求の範囲】
【請求項１】
上覆い部と縁部とを備え、前記上覆い部は靴のつま先部を覆うために用いられ、前記縁部が前記上覆い部の下縁部に沿って延伸され、前記靴の下方に位置する本体と、
前記本体の上覆い部の上縁部に沿って延伸され、前記靴の上方に位置し、その上表面に水滴を下方に流出させるようガイドするための少なくとも１つの導流溝を備えたカバー体と、
を含むことを特徴とする、靴カバー。
【請求項２】
前記カバー体は、複数の穴部を備え、前記上覆い部は前記靴のつま先部に覆設して固定されるように前記穴部が前記靴の靴紐の挿通固定に用いられることを特徴とする、請求項１に記載の靴カバー。
【請求項３】
靴のつま先部に覆設するための靴カバーであって、上覆い部と縁部と留め具とを備える本体を含み、前記縁部は前記上覆い部の下縁部周囲に沿って延伸され、前記留め具が前記上覆い部の両側に沿って延伸され、前記上覆い部、前記縁部及び前記留め具が一体成形であることを特徴とする、靴カバー。
【請求項４】
靴のつま先部に覆設するための靴カバーであって、
上覆い部と縁部とを備え、前記縁部が前記上覆い部の下縁部周囲に沿って延伸され、前記上覆い部の上縁部に軸部が設けられ、前記軸部は通路を有し、前記上覆い部が前記靴のつま先部に覆設されるように前記通路が前記靴の靴紐の挿通に用いられる本体と、
その先端部に枢着部材を有し、前記枢着部材を前記上覆い部の軸部に枢着させて前記本体に対し回転運動を行うことができるカバー体と、
を含むことを特徴とする、靴カバー。
【請求項５】
前記カバー体は、複数の穴部を備え、前記穴部が前記靴の靴紐の挿通固定に用いられることを特徴とする、請求項４に記載の靴カバー。
【請求項６】
靴のつま先部に覆設するための靴カバーであって、
上覆い部と耳部を備え、前記上覆い部は、複数の支持具で防水布を支持してなり、前記耳部が前記上覆い部の両側に沿って延伸される本体と、
前記耳部に連結され、前記上覆い部に前記靴のつま先部を固定させるための弾性部材と、
を含むことを特徴とする、靴カバー。
【請求項７】
カバー体を更に含み、前記カバー体は前記本体の上覆い部の上縁部に沿って延伸され、前記靴の上方に位置することを特徴とする、請求項６に記載の靴カバー。
【請求項８】
フック部を備えたカバー体と、係合部を備えた上覆い体とを含み、前記フック部と前記係合部が掛合した後、靴紐を有する靴のつま先部に覆設されるように前記カバー体と前記上覆い体で靴カバーが構成され、前記カバー体及び前記上覆い体は各々第１板紙及び第２板紙を谷折りに折った後で立体構造が形成され、かつ前記第１板紙及び前記第２板紙が平面板紙から剥がされることを特徴とする、靴カバー。
【請求項９】
前記カバー体の上側に複数の穴部を有し、前記カバー体の両側から各々外方に向けて翼部が延伸され、前記カバー体の下側に折り目が付けられ、前記カバー体が前記靴に覆設されるように前記靴の靴紐は前記カバー体の前記穴部を挿通することができ、前記カバー体の折り目が折り曲げられた後、前記フック部が形成されることを特徴とする、請求項８に記載の靴カバー。
【請求項１０】
前記上覆い体の上側に複数の穴部を有し、前記靴の靴紐は、前記上覆い体の前記穴部に挿通できることを特徴とする、請求項８に記載の靴カバー。
【請求項１１】
前記上覆い体は、複数の耳部と接着部とを備え、前記耳部を内側に向けて折り返した後、前記接着部を互いに接着させることで、立体構造が形成され、前記上覆い体を前記靴の靴型にフィットさせることを特徴とする、請求項８に記載の靴カバー。
【請求項１２】
枢着部及び複数の第１スロットが設けられ、前記第１スロットが前記枢着部の左右両側に設けられた上覆い体と、
複数の第２スロット及び少なくとも一つの通路が設けられ、それら第２スロットは前記上覆い体の第１スロットにそれぞれ対応する連結体と、
前記第１スロットと前記第２スロットを上下に重ね合わせた後前記第１スロットと前記第２スロットを留めることで、前記連結体と前記上覆い体を相対的に摺動させる結合部材と、
フック部を備え、前記フック部が前記上覆い体の枢着部と掛合した後、前記連結体と前記上覆い体とが靴紐を有する靴のつま先部に覆設するための靴カバーを構成するカバー体と、
を含むことを特徴とする、靴カバー。
【請求項１３】
前記連結体の通路は、前記靴の靴紐の挿通に用いられ、前記カバー体は、前記靴の靴紐の挿通固定に用いられる複数の穴部を備えることを特徴とする、請求項１２に記載の靴カバー。
【請求項１４】
前記カバー体のフック部は、１枚式又は２枚式であることを特徴とする、請求項１２に記載の靴カバー。
【考案の詳細な説明】
【技術分野】
【０００１】
本考案は、靴カバーに関し、特に、熱可塑性材料で製造され、防水機能を持ち、かつ靴を被うことで靴が濡れるのを防止できる靴カバーに関する。
【背景技術】
【０００２】
台湾の気候が多雨湿潤で、出かける人々は雨天の時、レインブーツを履いて出かけると共に履き替え用靴を持ち運び、目的地に到着した後で履き替えていたが、従来のレインブーツは重い以外に、着用者が目的地に到着した後で履き替えなければならないため、少し不便性をもたらしていた。次に、従来のレインブーツは、通常折り畳むことが容易ではない特性を持ち、着用者が目的地に到着した後レインブーツ収納が困難になり、関連産業の業者が折り畳みの可能なレインブーツ商品を発売してきたが折り畳んだ後のレインブーツはやはり大きな体積を有し、人々のニーズを完全に満たすことができていなかった。
【０００３】
現在の通勤方式は、極めて便利で、人々の丈夫なレインブーツに対する需要が減り、多くの人々は軽くて薄い防水シューズカバーを購入する傾向が益々強くなってきている。防水シューズカバーの着用者は、目的地に到着した後、直接防水シューズカバーを脱ぐだけでよく、履き替えが不要となる。軽くて薄い防水シューズカバーは、容易に折り畳めるだけではなく、収納面においてもメリットを有し、また防水シューズカバーの製造コストがハードタイプのレインブーツより安いだけでなく、着用者は目的地に到着した後その場で防水シューズカバーを使い捨てることさえできる。
【０００４】
このため、着用者の持ち運びの意欲を高め、かつ着用に便利な防水靴カバーの研究は、開発に値する課題となっている。
【考案の概要】
【考案が解決しようとする課題】
【０００５】
本考案の目的は、靴の外側を覆うことで該靴を保護し、靴の雨濡れを防止できる靴カバーを提供することである。本考案に係る靴カバーは、手入れも簡単で、着用者が直接水洗いすることができ、次に使用に便利でかつ小型軽量で持ち運びが容易であり、外観の美観性も限りなく多く変化させることができる。
【課題を解決するための手段】
【０００６】
上記目的を達成する靴カバーは、上覆い部と縁部とを備え、該上覆い部が靴のつま先部を覆うために用いられ、該縁部が該上覆い部の下縁部に沿って延伸され、該靴の下方に位置する本体と、該本体の上覆い部の上縁部に沿って延伸され、該靴の上方に位置し、その上表面に水滴を下方に流出させるようガイドするための少なくとも１つの導流溝を備えたカバー体と、を含む。
【０００７】
好ましくは、該カバー体は、複数の穴部を備え、該穴部は、該上覆い部が該靴のつま先部に覆設して固定されるように、該靴の靴紐の挿通固定に用いられる。
上記目的を達成する靴カバーは、上覆い部と縁部と留め具とを備える本体を含み、該縁部が該上覆い部の下縁部周囲に沿って延伸され、該留め具が該上覆い部の両側に沿って延伸され、該上覆い部、該縁部及び該留め具が一体成形である。
【０００８】
上記目的を達成する靴カバーは、上覆い部と縁部とを備え、該縁部が該上覆い部の下縁部周囲に沿って延伸され、該上覆い部の上縁部に軸部が設けられ、該軸部は通路を有し、該上覆い部が該靴のつま先部に覆設されるように該通路が該靴の靴紐の挿通に用いられる本体と、その先端部に枢着部材を有し、該枢着部材を該上覆い部の軸部に枢着させて該本体に対し回転運動を行うことができるカバー体と、を含む。
【０００９】
好ましくは、該カバー体は、複数の穴部を備え、該穴部が該靴の靴紐の挿通固定に用いられる。
上記目的を達成する靴カバーは、上覆い部と耳部を備え、該上覆い部は複数の支持具で防水布を支持してなり、該耳部が該上覆い部の両側に沿って延伸される本体と、該耳部に連結され、該上覆い部に該靴のつま先部を固定させるための弾性部材と、を含む。
【００１０】
好ましくは、カバー体を更に含み、該カバー体は該本体の上覆い部の上縁部に沿って延伸され、該靴の上方に位置する。
上記目的を達成する靴カバーは、フック部を備えたカバー体と、係合部を備えた上覆い体とを含み、該フック部と該係合部が掛合した後、靴紐を有する靴のつま先部に覆設されるように該カバー体と該上覆い体で該靴カバーは構成され、該カバー体及び該上覆い体は各々第１板紙及び第２板紙を谷折りに折った後で立体構造が形成され、かつ該第１板紙及び該第２板紙が平面板紙から剥がされる。
【００１１】
好ましくは、該カバー体の上側に複数の穴部を有し、該カバー体の両側から各々外方に向けて翼部が延伸され、該カバー体の下側に折り目が付けられ、該カバー体が該靴に覆設されるように該靴の靴紐は該カバー体の該穴部を挿通することができ、該カバー体の折り目が折り曲げられた後、該フック部が形成される。
【００１２】
好ましくは、該上覆い部の上側に複数の穴部を有し、該靴の靴紐は、該上覆い部の該穴部に挿通できる。
好ましくは、該上覆い体は、複数の耳部と接着部とを備え、該耳部を内側に向けて折り返した後、該接着部を互いに接着させることで、立体構造が形成され、該上覆い体を該靴の靴型にフィットさせる。
【００１３】
上記目的を達成する靴カバーは、枢着部及び複数の第１スロットが設けられ、該第１スロットが該枢着部の左右両側に設けられた上覆い体と、複数の第２スロット及び通路が設けられ、それら第２スロットは該上覆い体の第１スロットにそれぞれ対応する連結体と、該第１スロットと該第２スロットを上下に重ね合わせた後該第１スロットと該第２スロットを留めることで、該連結体と該上覆い体を相対的に摺動させる結合部材と、フック部を備え、該フック部が該上覆い体の枢着部と掛合した後、靴紐を有する靴のつま先部に覆設されるように該連結体と該上覆い体とが該靴カバーを構成するカバー体と、を含む。
【００１４】
好ましくは、該連結体の通路は該靴の靴紐の挿通固定に用いられ、該カバー体は、該靴の靴紐の挿通固定に用いられる複数の穴部を備える。
好ましくは、該カバー体のフック部は、１枚式又は２枚式である。
【図面の簡単な説明】
【００１５】
【図１Ａ】本考案の実施形態１に係る靴カバーを示す立体図である。
【図１Ｂ】本考案の実施形態１に係る靴カバーを示す別の立体図である。
【図１Ｃ】本考案の実施形態１に係る靴カバーを靴に覆設した場合の立体図である。
【図１Ｄ】本考案の実施形態１に係る靴カバーを靴に覆設した場合の下面図である。
【図２Ａ】本考案の実施形態２に係る靴カバーを示す立体図である。
【図２Ｂ】本考案の実施形態２に係る靴カバーを示す別の立体図である。
【図２Ｃ】本考案の実施形態２に係る靴カバーを靴に覆設した場合の立体図である。
【図３Ａ】本考案の実施形態３に係る靴カバーを示す立体図である。
【図３Ｂ】本考案の実施形態３に係る靴カバーを示す別の立体図である。
【図３Ｃ】本考案の実施形態３に係る靴カバーを靴に覆設した場合の立体図である。
【図３Ｄ】本考案の実施形態３に係る靴カバーを靴に覆設した場合の下面図である。
【図４Ａ】本考案の実施形態４に係る靴カバーを示す立体図である。
【図４Ｂ】本考案の実施形態４に係る靴カバーを示す別の立体図である。
【図４Ｃ】本考案の実施形態４に係る靴カバーを靴に覆設した場合の立体図である。
【図５Ａ】本考案の実施形態５に係る靴カバーを示す立体図である。
【図５Ｂ】本考案の実施形態５に係る靴カバーを靴に覆設した場合の立体図である。
【図６Ａ】本考案の実施形態６に係る靴カバーを示す立体分解図である。
【図６Ｂ】本考案の実施形態６に係る靴カバーを示す立体組立図である。
【図７Ａ】本考案の実施形態７に係る靴カバーを靴に覆設した場合の上面図である。
【図７Ｂ】本考案の実施形態７に係る靴カバーを靴に覆設した場合の側面図である。
【図８Ａ】本考案の実施形態８に係る靴カバーを板紙に設けた場合の上面図である。
【図８Ｂ】本考案の実施形態８に係る靴カバーを靴に覆設した場合の立体図である。
【図９Ａ】本考案の実施形態９に係る靴カバーを示す立体図である。
【図９Ｂ】本考案の実施形態９に係る靴カバーの組み立てた状態を示す上面図である。
【考案を実施するための形態】
【００１６】
本考案は、本考案の好ましい実施形態を含む添付図面を参照しながら十分説明するが、当業者は本明細書で記載される考案を修正することで、本考案の効果が得られることを理解すべきである。よって、上記は当業者にとって幅広く開示であり、かつその内容が本考案を限定するものではない。
【００１７】
（実施形態１）
同時に図１Ａ、図１Ｂ、図１Ｃ及び図１Ｄを参照すると、各々本考案の実施形態１に係る靴カバー１を示す立体図、別の立体図、靴カバーを靴に覆設した場合の立体図及び下面図である。この好ましい実施形態において、本考案に係る靴カバー１は、上覆い部３と縁部４と耳部５とを備え、該縁部４は該上覆い部３の下縁部に沿って延伸され、平坦な形状となり、該耳部５が該上覆い部３の両側に沿って延伸される本体２と、該耳部５に連結される弾性部材６と、を含む。該耳部５は、方形形状となり、該縁部４と直交し、かつ各耳部５が各々１個の穴部７を備え、該２個の穴部７が各々該弾性部材６の両端を挿通して連結するために用いられ、該弾性部材６は該上覆い部３を靴８のつま先部に固定させるために用いられる。
【００１８】
更に図１Ｃ及び図１Ｄを参照すると、本考案に係る靴カバー１を靴８の上方に覆設し、該上覆い部３は円弧形設計を有し、その外形が該靴８のつま先部を覆うよう設計され、該縁部４は該靴８の下方に沿って延伸され、該弾性部材６は弾性素材であるため、先に交差（図１Ｄ）してから該靴８の後端部に留めることができ、本考案に係る靴カバー１を安定して該靴８に覆わせることで、外れないようにする。該本体２は、紙、ゴム、傘布等の防水材料で製造されることができ、よって該靴カバー１を該靴８のつま先部に覆設した時、該本体２が効果的に該靴８を雨に濡れないように保護できて着用者は本考案の靴カバー１及び該靴８を履いた時、濡れる感覚により不快を感じることはない。
【００１９】
（実施形態２）
同時に図２Ａ、図２Ｂ及び図２Ｃを参照すると、本考案の実施形態２に係る靴カバーを示す立体図、別の立体図及び靴カバーを靴に覆設した場合の立体図である。この好ましい実施形態において、本考案に係る靴カバー１１は、上覆い部１３と縁部１４とを備え、該上覆い部１３は靴１７のつま先部に覆設させるために用いられ、該縁部１４が該上覆い部１３の下縁部に沿って延伸され、該靴１７の下方に位置し、平坦な形状となる本体１２と、該本体１２の上覆い部１３の上縁部に沿って延伸し、該靴１７の上方に位置するカバー体１５と、を含む。該カバー体１５の上方に複数の穴部１６を有し、それら穴部１６は該靴１７の靴紐１８と互いに縛って固定でき、該靴カバー１１を該靴１７上に固定させることができる。ここで注目すべきは、該カバー体１５の上表面に複数の導流溝１９を有し、該導流溝１９が長手方向及び短手方向を有し、水滴を下方に流出させるようガイドするために用いられる。該靴カバー１１を該靴１７上に覆設した時、該本体１２は効果的に該靴１７を雨に濡れないように保護できて着用者は本考案の靴カバー１１及び該靴１７を履いた時、濡れそうな感覚により不快を感じることはない。該導流溝１９が水滴を下方に流出させるようガイドできる。
【００２０】
（実施形態３）
同時に図３Ａ、図３Ｂ、図３Ｃ及び図３Ｄを参照すると、各々本考案の実施形態３に係る靴カバーを示す立体図、別の立体図、靴カバーを靴に覆設した場合の立体図及び下面図である。この好ましい実施形態において、本考案に係る靴カバー２１は、上覆い部２３とカバー体２４とを備え、該カバー体２４は該上覆い部２３の上縁部に沿って延伸され、該カバー体２４の後側に複数の穴部２８を有する本体２２と、該本体２２の上覆い部２３の下縁部に連結される留め具２５と、を含む。該本体２２の上覆い部２３の下縁部に複数の穴部２６が設けられ、それら穴部２６が該留め具２５を挿通して連結させるために用いられることができる。ここで更に注目すべきは、該留め具２５は、長さを調整できる面ファスナーであり、この好ましい実施形態において面ファスナーは、バックル２７を挿通して長さを調整できる。それら穴部２８は、靴２９の靴紐３０の挿通固定に用いられ、該靴カバー２１を該靴２９上に固結させることができ、該留め具２５は該上覆い部２３を該靴２９のつま先部に固定させることで、該カバー体２４を該靴２９の上方に位置させるために用いられる。
【００２１】
更に、図３Ｃ及び図３Ｄを参照すると、本考案に係る靴カバー２１を靴２９の上方に覆設し、該上覆い部２３は円弧形設計を有し、その外形が該靴２９のつま先部を覆うよう設計され、該カバー体２４を該靴２９の上方に覆設し、該留め具２５が先に交差（図３Ｄ）してから該靴２９の後端に留めることができ、本考案に係る靴カバー２１を安定して該靴２９に覆わせることで、外れないようにする。該本体２２は、紙、ゴム、傘布等の防水材料で製造されることができ、よって該靴カバー２１を該靴２９上に覆設した時、該本体２２が効果的に該靴２９を雨に濡れないように保護できて着用者は本考案の靴カバー２１及び該靴２９を履いた時、濡れる感覚により不快を感じることはない。
【００２２】
（実施形態４）
同時に図４Ａ、図４Ｂ及び図４Ｃを参照すると、各々本考案の実施形態４に係る靴カバーを示す立体図、別の立体図及び靴カバーを靴に覆設した場合の立体図である。この好ましい実施形態において、本考案に係る靴カバー３１は、本体３２を含み、該本体３２は上覆い部３３と縁部３４と留め具３５とを備え、該縁部３４が該上覆い部３３の下縁部周囲に沿って延伸され、該留め具３５が該上覆い部３３の両側に沿って延伸される。該上覆い部３３、該縁部３４及び該留め具３５は、一体成形され、その材料が軽便なレインコートに類似した熱可塑性材料又はゴムであり、極めて軽薄のため持ち運びに便利である。
【００２３】
引き続き図４Ｃを参照すると、本考案に係る靴カバー３１を靴３６のつま先部に覆設し、該上覆い部３３は円弧形設計を有し、その外形が該靴３６のつま先部を覆うよう設計され、該留め具３５が該靴３６の後端に留めることで、本考案に係る靴カバー３１を安定して該靴３６に覆わせることで、外れないようにする。該本体３２は、軽便なレインコートなどに類似した防水材料又はゴムで製造されるため、該靴カバー３１を該靴３６のつま先部に覆設した時、該本体３２が効果的に該靴３６を雨に濡れないように保護できて着用者は本考案の靴カバー３１及び該靴３６を履いた時、濡れる感覚により不快を感じることはない。
【００２４】
（実施形態５）
同時に図５Ａ及び図５Ｂを参照すると、各々本考案の実施形態５に係る靴カバーを示す立体図及び靴カバーを靴に覆設した場合の立体図である。この好ましい実施形態において、本考案に係る靴カバー６１は、上覆い部６３と縁部６４とを備え、該縁部６４は該上覆い部６３の下縁部周囲に沿って延伸される本体６２と、該本体２２の縁部６４に連結される留め具６５と、を含む。該本体６２の縁部６４の両対向端部に穴部６６が設けられ、それら穴部６６は、該留め具６５を挿通して連結するために用いられる。ここで注目すべきは、該留め具６５の両端部はハードタイプのＬ字型係止部６７であり、該留め具６５の中間が弾性を持って伸縮できる弾性バンド６８である。この好ましい実施形態において、該靴カバー６１を靴６９に覆設する時、まず該留め具６５の一端部のＬ字型係止部６７を該縁部６４の穴部６６に嵌合し、そして該靴カバー６１を該靴６９上に覆設し、次に該留め具６５の他端部のＬ字型係止部６７を該縁部６４の別の穴部６６に嵌合させるだけでよい。
【００２５】
（実施形態６）
図６Ａ及び図６Ｂを参照すると、各々本考案の実施形態６に係る靴カバーを示す立体分解図及び立体組立図である。この好ましい実施形態において、本考案に係る靴カバー７１は、上覆い部７３と縁部７４とを備え、該縁部７４は該上覆い部７３の下縁部周囲に沿って延伸され、該上覆い部７３の上縁部に軸部７５が設けられる本体７２と、その先端部に枢着部材７７を有し、該枢着部材７７を該上覆い部の軸部７５に枢着させて該上覆い部７３に対し回転運動を行うことができるカバー体７６と、を含む。ここで注目すべきは、該上覆い部７３の軸部７５に通路を有し、該上覆い部７３が該靴のつま先部及び上方に覆設されるように該通路が靴の靴紐の挿通に用いられ、かつ該カバー体７６は複数の穴部７８を備え、該穴部７８が該靴の靴紐を挿通して固定するために用いられる。また、該縁部７４の内側に複数の滑り止め部７９が設けられ、該滑り止め部７９は、該靴の外表面に接触するために用いられ、該上覆い部７３を該靴のつま先部及び上方に覆設した時、該滑り止め部７９を介して該上覆い部７３と靴との間を安定させることができて相互摺動が生じない。該滑り止め部７９は、幾何学形状を有し、本実施形態において、円柱形状を呈しているが該滑り止め部７９は挙げられた実施形態の形状に限定されず、細長状又は不規則形状などとすることができる。
【００２６】
（実施形態７）
同時に図７Ａ及び図７Ｂを参照すると、各々本考案の実施形態７に係る靴カバーを示す上面図及び側面図である。この好ましい実施形態において、本考案に係る靴カバー８１は、上覆い部８４と耳部８５とを備え、該上覆い部８４が複数の支持具８６で防水布８３を支持してなり、該防水布８３は縦横交差して連通する通路を有し、該複数の支持具８６が該通路内に設けられ、該防水布８３の拡開伸展に用いられることができ、該耳部８５が該上覆い部８４の両側に沿って延伸される本体８２と、該耳部８５に連結され、かつ該上覆い部８４を靴８８のつま先部に固定するための弾性部材８７と、を含む。ここで注目すべきは、該支持具８６が可撓性を持つ材質であるため、該防水布８３を弾性的に拡開できる。本考案に係る靴カバー８１は、カバー体８９を更に含み、該カバー体８９が該本体８２の上覆い部８４の上縁部に沿って延伸されて該靴８８の上方に位置する。
【００２７】
（実施形態８）
同時に図８Ａ及び図８Ｂを参照すると、各々本考案の実施形態８に係る靴カバーを板紙に設けた場合の上面図及び靴カバーを靴に覆設した場合の立体図である。この好ましい実施形態において、本考案に係る靴カバー９１は、フック部９２１を備えたカバー体９２と、係合部９３１を備えた上覆い体９３とを含み、該カバー体９２の上側に複数の穴部９２２を有し、かつ該カバー体９２の両側から各々外方に向けて翼部９２３が延伸され、該カバー体９２の下側に折り目９２４が付けられる。該カバー体９２及び該上覆い体９３は、各々第１板紙１００及び第２板紙２００を谷折りに折った後で立体構造が形成され、かつ該第１板紙１００及び該第２板紙２００が平面板紙３００から剥がされる。ここで注目すべきは、該第１板紙１００及び該第２板紙２００の材質は防水できるものである。該平面板紙３００は、複数本の剥がし線（図８Ａ内に描いた破線）を有し、着用者が該剥がし線に沿って該第１板紙１００及び該第２板紙２００を剥がすことができる。該カバー体９２の折り目９２４が折り曲げられた後該フック部９２１を形成できる。該上覆い体９３は、複数の耳部９３２と接着部９３３とを備え、該耳部９３２が内側に向けて折り返された後、更に該接着部９３３を互いに接着させることで、立体構造が形成され、該上覆い体９３を靴９８の靴型にフットさせる。該フック部９２１と該係合部９３１が掛合された後、靴紐９９を有する該靴９８のつま先部に覆設されるように該カバー体９２と該上覆い体９３は該靴カバー９１を構成することができ、該カバー体９２が該靴９８に覆設されるように該靴９８の靴紐９９を該カバー体９２の該穴部９２２に挿通できる。該上覆い体９３の上側に複数の穴部９３４を有し、該靴９８の靴紐９９を該上覆い体９３の該穴部９３４に挿通できる。好ましくは、該上覆い体９３は、更に複数本の剥がし線９３５Ａ、９３５Ｂ、９３５Ｃを有し、着用者が該靴９８のサイズ（小、中、大）によって剥がし線９３５Ａ、９３５Ｂ、９３５Ｃを選択して剥がすことができる。ここで注目すべきは、該穴部９３４は、１個の通し具（図示せず、該通し具がプラスチック材質である）を別途組み合わせることができ、該通し具がスロット（該スロットの外形は、例えば図６Ａに示すＣ型スロットである）であり、該靴紐９９の挿通に用いられることができる。このような設計は、本考案が該靴紐９９を外さない状態において、該靴カバー９１をより容易に直接結合して該靴９８に覆設することができる。又は、該穴部９３４は、弾性部材（図示せず、例えば、該弾性部材は伸縮バンドに面ファスナーを組み合わせたものである）を組み合わせることができ、該弾性部材が該穴部９３４を挿通してから該靴９８に一周巻いて該９８靴と緊結でき、この設計の利点は、靴紐を結んでいない靴に使用させることができる。
【００２８】
（実施形態９）
同時に図９Ａ及び図９Ｂを参照すると、各々各々本考案の実施形態９に係る靴カバーを示す立体分解図及び靴カバーの組み立てた状態を示す上面図である。この好ましい実施形態において、本考案に係る靴カバー４０は、中央の外縁部に枢着部４１１及び複数の第１スロット４１２が設けられ、該枢着部４１１が横棒とすることができ、それら第１スロット４１２が該枢着部４１１の左右両側に設けられる上覆い体４１と、複数の第２スロット４２１及び通路４２２が設けられ、それら第２スロット４２１は該上覆い体４１の第１スロット４１２にそれぞれ対応する連結体４２と、該上覆い体４１の第１スロット４１２と該連結体４２の第２スロット４２１を上下に重ねて合わせた後該第１スロット４１２と該第２スロット４２１（該第１部材をそれら第１スロット４１２とそれら第２スロット４２１に挿通してから該第２部材と互いに結合できる）を留めることで、該連結体４２と該上覆い体４１を相対的に摺動させることができる結合部材４３（例えば、第１部材と第２部材）と、フック部４４１を備え、該フック部４４１が該上覆い体４１の枢着部４１１と掛合した後に、該連結体４２と該上覆い体４１とは靴紐（図示せず）を有する靴４５のつま先部に覆設するための該靴カバー４０を構成することができるカバー体４４と、を含む。ここで注目すべきは、該連結体４２の通路４２２は、該靴４５の靴紐を挿通して該靴４５と固定させるために用いられ、該カバー体４４は、更に該靴４５の靴紐の挿通に用いられる複数の穴部４４２が設けられる。又は、該カバー体４４のフック部４４１は、１枚式或いは２枚式である（図９Ａに示すのは、２枚式の態様であり、２枚式フック部４４１が該上覆い体４１の枢着部４１１に安定して掛合できる）。
【００２９】
本考案に係る靴カバーの利点は以下の通りである。
１．適切な防水機能付き：シューズカバーであるため、防水設計（プラスチック材質）を有し、雨天時スニーカー又はブーツへの雨浸水を防止できて、靴或いはブーツの濡れにより、着用者が不快に感じることを避けることができる。
【００３０】
２．お手入れ簡単：着用者は直接水で洗うことができる。
３．使用に便利でかつ小型軽量で持ち運び：靴カバーの使用時、簡単に靴カバーをスニーカー又はブーツのつま先部に覆設し、また適切な方式で係合固定してから使用でき、非常に高い利便性を持つ。更に、本考案に係る靴カバーは、外形体積上においてコンパクトで、着用者が持ち運びに便利な利点を有する。
【００３１】
４．外観の美観を限りなく多く変化させることができ、着用者の使用意欲を高めることができる。
なお、本考案では好ましい実施形態を前述の通り開示したが、これらは決して本考案に限定されるものではなく、当該技術を熟知する者なら誰でも、後記の実用新案登録請求の範囲及び本考案の精神を逸脱しない範囲で各種の変化や変更を加えることができることは勿論である。各実施形態中の一部構成要素は互いに置換して組み合わせることができ、例えば実施形態６の該縁部の滑り止め部もその他の実施形態に応用されることができ、該滑り止め部を介して該上覆い部と該靴との間を安定させることができて相互摺動が生じない。
【符号の説明】
【００３２】
１、１１、２１、３１、６１、７１、８１、９１：  靴カバー
２、１２、２２、３２、６２、７２、８２：  本体
３、１３、２３、３３、６３、７３、８４、９３：  上覆い部
４、１４、３４、６４、７４：  縁部
５、８５、９３２：  耳部
６、８７：  弾性部材
７、１６、２６、２８、６６、７８、４４２、９２２、９３４：  穴部
８、１７、２９、３６、６９、８８、９８：  靴
１５、２４、７６、８９、９２：  カバー体
１８、３０、９９：  靴紐
１９：  導流溝
２７：  バックル
２５、３５、６５：  留め具
４１：  上覆い体
４２：  連結体
４３：  結合部材
６７：  Ｌ字型係止部
６８：  弾性バンド
７５：  軸部
７７：  枢着部材
７９：  滑り止め部
８３：  防水布
８６：  支持具
１００：  第１板紙
２００：  第２板紙
３００：  平面板紙
４１１：  枢着部
４１２：  第１スロット
４２１：  第２スロット
４２２：  通路
４４１、９２１：  フック部
９２３：  翼部
９２４：  折り目
９３１：  係合部
９３３：  接着部
９３５Ａ、９３５Ｂ、９３５Ｃ：  剥がし線
【図１Ａ】
0003217956.tif 000003
【図１Ｂ】
0003217956.tif 000004
【図１Ｃ】
0003217956.tif 000005
【図１Ｄ】
0003217956.tif 000006
【図２Ａ】
0003217956.tif 000007
【図２Ｂ】
0003217956.tif 000008
【図２Ｃ】
0003217956.tif 000009
【図３Ａ】
0003217956.tif 000010
【図３Ｂ】
0003217956.tif 000011
【図３Ｃ】
0003217956.tif 000012
【図３Ｄ】
0003217956.tif 000013
【図４Ａ】
0003217956.tif 000014
【図４Ｂ】
0003217956.tif 000015
【図４Ｃ】
0003217956.tif 000016
【図５Ａ】
0003217956.tif 000017
【図５Ｂ】
0003217956.tif 000018
【図６Ａ】
0003217956.tif 000019
【図６Ｂ】
0003217956.tif 000020
【図７Ａ】
0003217956.tif 000021
【図７Ｂ】
0003217956.tif 000022
【図８Ａ】
0003217956.tif 000023
【図８Ｂ】
0003217956.tif 000024
【図９Ａ】
0003217956.tif 000025
【図９Ｂ】
0003217956.tif 000026